(57)【要約】【課題】予め配布された資料を参照しながら行う会議の議事録を従来よりも効率良く作成させることが可能な文書作成装置を実現する。【解決手段】タブレット端末１００は、ＩＭＥユーザ辞書と、資料データ１０から単語および文を抽出するドキュメント分析部１３０と、抽出された単語および文をＩＭＥユーザ辞書に登録するデータベース処理部１４０と、ＩＭＥユーザ辞書に登録された単語および文を変換候補としてタッチパネル部１１０に表示するＩＭＥ処理部１６０と、を備える。【選択図】図１
2014056401.tif 000002
【特許請求の範囲】
【請求項１】
文字変換辞書が格納されている記憶部と、
資料を表すデータの解析により該データから単語および文を抽出する抽出手段と、
上記抽出手段が抽出した上記単語および文を上記文字変換辞書に登録する登録手段と、
上記文字変換辞書に登録された上記単語および文を変換候補として表示部に表示する表示処理手段と、を備えていることを特徴とする文書作成装置。
【請求項２】
上記抽出手段は、上記資料を表すデータの解析により該データから画像を抽出可能に構成されており、
上記登録手段は、上記抽出手段が抽出した画像を上記文字変換辞書に登録するように構成されており、
上記表示処理手段は、上記文字変換辞書に登録された上記画像を変換候補として上記表示部に表示する、ことを特徴とする、請求項１に記載の文書作成装置。
【請求項３】
上記記憶部には、上記単語を登録するための第１の文字変換辞書と、上記文を登録するための第２の文字変換辞書と、上記画像を登録するための第３の文字変換辞書と、が格納されており、
上記登録手段は、上記抽出手段が抽出した単語を第１の文字変換辞書に登録し、上記抽出手段が抽出した文を第２の文字変換辞書に登録し、上記抽出手段が抽出した画像を第３の文字変換辞書に登録する、ことを特徴とする請求項２に記載の文書作成装置。
【請求項４】
上記記憶部には、上記登録手段による登録先となっている文字変換辞書以外に、所定の文字変換辞書が格納されており、
上記表示処理手段は、上記所定の文字変換辞書内の変換候補よりも、上記登録手段による登録先となっている文字変換辞書内の変換候補が優先的に表示されるように、変換候補の一覧を表示する、ことを特徴とする請求項１から３のいずれか１項に記載の文書作成装置。
【請求項５】
上記抽出手段により抽出される各単語、各文および各画像について、上記資料における位置を示す位置情報を生成する位置情報生成手段を更に備え、
上記登録手段は、上記抽出手段により抽出される上記各単語、各文および各画像を、それぞれ、対応する位置情報と関連付けて上記文字変換辞書に登録するように構成されている、ことを特徴とする請求項２から４のいずれか１項に記載の文書作成装置。
【請求項６】
上記登録手段は、上記抽出手段により抽出される各画像について、該画像の位置を示す位置情報と各単語の位置を示す位置情報とに基づいて上記資料において該画像の位置から所定の範囲内に位置する単語を特定し、該画像と、特定した単語の先頭の読みを表す仮名と、を関連付けて上記文字変換辞書に登録するように構成されており、
上記表示処理手段は、入力された仮名と関連付けて上記文字変換辞書に登録されている各画像を変換候補として表示する、ことを特徴とする請求項５に記載の文書作成装置。
【請求項７】
上記表示処理手段は、変換候補として、入力された文字に対応する上記文字変換辞書に登録されている単語を表示するとともに、上記資料において該単語の隣に位置する単語を、上記文字変換辞書に登録されている各単語の位置を示す位置情報に基づいて特定して表示する、ことを特徴とする請求項５または６に記載の文書作成装置。
【請求項８】
上記登録手段は、上記抽出手段が抽出した画像を所定のサイズにリサイズして上記文字変換辞書に登録する、ことを特徴とする請求項１から７のいずれか１項に記載の文書作成装置。
【請求項９】
上記文字変換辞書に登録された情報を上記文字変換辞書から消去する旨の指示をユーザから受け付ける指示受付手段をさらに備えている、ことを特徴とする請求項１から８のいずれか１項に記載の文書作成装置。
【請求項１０】
文字変換辞書が格納されている記憶部を備えた文書作成装置の変換候補表示方法において、
資料を表すデータの解析により該データから単語および文を抽出する抽出工程と、
上記抽出工程にて抽出した上記単語および文を上記文字変換辞書に登録する登録工程と、
上記文字変換辞書に登録された上記単語および文を変換候補として表示部に表示する表示処理工程と、を含んでいることを特徴とする変換候補表示方法。
【請求項１１】
請求項１から９のいずれか１項に記載の文書作成装置としてコンピュータを動作させるプログラムであって、コンピュータを上記各手段として機能させるためのプログラム。
【請求項１２】
請求項１１に記載のプログラムが記録されているコンピュータ読み取り可能な記録媒体。
【発明の詳細な説明】
【技術分野】
【０００１】
本発明は、文書を作成するために用いられる文書作成装置および文書作成装置の変換候補表示方法に関する。また、本発明は、コンピュータをそのような文書作成装置として機能させるためのプログラム、および、そのようなプログラムが記録されている記録媒体に関する。
【背景技術】
【０００２】
今日では、文書を作成するのにコンピュータを用いることが当然のこととなっている。そのため、特許文献１〜３の技術をはじめとして、電子化された文書データの作成を効率化するための様々な技術が提案されている。
【０００３】
会議においても、議事録作成者がコンピュータを用いて会議の議事録を作成することが一般的である。
【先行技術文献】
【特許文献】
【０００４】
【特許文献１】特開２００６−０６５４７７号公報（２００６年３月９日公開）
【特許文献２】特開２００５−２７５９９６号公報（２００５年１０月６日公開）
【特許文献３】特開２０１１−２０４１７４号公報（２０１１年１０月１３日公開）
【発明の概要】
【発明が解決しようとする課題】
【０００５】
会議の参加者が配布資料を参照しながら議論を行う場合、議事録作成者は、その配布資料に関連する内容を議事録に残すことが想定され、配布資料中の単語だけでなく、配布資料中の文をそのまま引用するケースも考えられる。
【０００６】
しかしながら、議事録作成者は、従来のコンピュータを用いた場合、配布資料中の文を効率良く引用して議事録に残すことはできなかった。
【０００７】
本発明は、上記課題に鑑みて成されたものであり、その主な目的は、予め配布された資料を参照しながら行う会議の議事録を従来よりも効率良く作成させることが可能な文書作成装置を実現することにある。
【課題を解決するための手段】
【０００８】
上記課題を解決するために、本発明の一態様に係る文書作成装置は、文字変換辞書が格納されている記憶部と、資料を表すデータの解析により該データから単語および文を抽出する抽出手段と、上記抽出手段が抽出した上記単語および文を上記文字変換辞書に登録する登録手段と、上記文字変換辞書に登録された上記単語および文を変換候補として表示部に表示する表示処理手段と、を備えていることを特徴としている。
【０００９】
また、上記課題を解決するために、本発明の一態様に係る変換候補表示方法は、上記課題を解決するために、文字変換辞書が格納されている記憶部を備えた文書作成装置の変換候補表示方法において、資料を表すデータの解析により該データから単語および文を抽出する抽出工程と、上記抽出工程にて抽出した上記単語および文を上記文字変換辞書に登録する登録工程と、上記文字変換辞書に登録された上記単語および文を変換候補として表示部に表示する表示処理工程と、を含んでいることを特徴としている。
【発明の効果】
【００１０】
以上のように、本発明の一態様に係る文書作成装置および変換候補表示方法は、会議で配布される資料中の単語および文を文字変換辞書に登録し、文字変換辞書を用いた単語および文の入力を受け付けることができる。
【００１１】
したがって、本発明の一態様に係る文書作成装置および変換候補表示方法は、議事録作成者に資料中の文を効率良く引用して議事録に残させることができる。これにより、本発明の一態様に係る文書作成装置および変換候補表示方法は、予め配布された資料を参照しながら行う会議の議事録を従来よりも効率良く作成させることができるという効果を奏する。
【図面の簡単な説明】
【００１２】
【図１】図１は、本発明の一実施形態に係るタブレット端末の要部構成を示すブロック図である。
【図２】図２は、図１のタブレット端末の記憶部に記録されているＩＭＥユーザ辞書ＤＢを模式的に示した図である。
【図３】図３は、資料データ中の単語、文および画像をＩＭＥユーザ辞書ＤＢに登録する図１のタブレット端末の動作を示すフローチャート図である。
【図４】図４は、図１のタブレット端末に記録されている資料を例示した図である。
【図５】図５は、図１のタブレット端末が、図３のフローチャートにおける、単語をＩＭＥユーザ辞書ＤＢに登録するステップ、文をＩＭＥユーザ辞書ＤＢに登録するステップ、および、画像をＩＭＥユーザ辞書ＤＢに登録するステップについて、各ステップの処理を具体的に説明するための図である。
【図６】図６は、ＩＭＥユーザ辞書ＤＢを構成する３つの辞書テーブルのうち２つの辞書テーブルを例示した図である。図６（ａ）は抽出単語辞書テーブルを例示しており、図６（ｂ）は抽出文辞書テーブルを例示している。
【図７】図７は、ＩＭＥユーザ辞書ＤＢを構成する３つの辞書テーブルのうち抽出画像辞書テーブルを例示した図である。
【図８】図８は、議事録作成者が文字を入力してから文字変換を確定させるまでの図１のタブレット端末の動作を示すフローチャート図である。
【図９】図９は、文字を入力したときに図１のタブレット端末に表示される変換候補を例示した図である。
【図１０】図１０は、変形例に係るタブレット端末の要部構成を示すブロック図である。
【図１１】図１１は、図１のタブレット端末に記録されている資料を例示した図である。
【発明を実施するための形態】
【００１３】
本発明の一実施形態に係るタブレット端末（特許請求の範囲の「文書作成装置」に対応）について以下に説明する。
【００１４】
本実施形態に係るタブレット端末は、議事録作成者が議事録の作成に使用する端末である。本実施形態では、会議で用いるＰＤＦ形式の資料データが各参加者に予め配布されており、議事録作成者は、自身が使用するタブレット端末にこの資料データを保存するものとする。
【００１５】
また、議事録作成者は、資料データをタブレット端末に保存した後、会議の開始前に、資料データ中の単語、文および画像（写真、図等）をＩＭＥユーザ辞書に登録するための作業を行うものとする。
【００１６】
以下、本実施形態に係るタブレット端末について図面を参照しながら説明するが、最初に本実施形態に係るデジタルサイネージシステムの要部構成について図１を参照しながら説明する。図１は、本実施形態に係るタブレット端末の要部構成を示すブロック図である。
【００１７】
（タブレット端末１００）
図１に示すように、本実施形態に係るタブレット端末１００は、タッチパネル部１１０、記憶部１２０、ドキュメント分析部１３０、データベース処理部１４０、文書処理部１５０およびＩＭＥ処理部１６０を備えている。
【００１８】
（タッチパネル部１１０）
タッチパネル部１１０（特許請求の範囲の「表示部」および「指示受付手段」に対応）は、表示装置としても入力装置としても機能するデバイスである。
【００１９】
（記憶部１２０）
記憶部１２０は、資料データ１０、ＩＭＥ辞書ＤＢ（ＩＭＥユーザ辞書ＤＢ５０およびＩＭＥシステム辞書ＤＢ６０）を保持する記録媒体であり、本実施形態ではフラッシュメモリである。記憶部１２０には、議事録作成者が作成する議事録データ２０も格納される。なお、記憶部１２０は、フラッシュメモリとは異なる種類の記録媒体（例えば、ソリッドステートドライブ等）であってもよい。
【００２０】
（ドキュメント分析部１３０）
ドキュメント分析部１３０（特許請求の範囲の「抽出手段」および「位置情報生成手段」に対応）は、ＰＤＦ形式の資料データ１０から、文字列と各画像（写真、図面等の画像）とを抽出する。また、ドキュメント分析部１３０は、抽出した文字列を、単語単位、および、文単位に分解する。
【００２１】
（データベース処理部１４０）
データベース処理部１４０（特許請求の範囲の「登録手段」に対応）は、ドキュメント分析部１３０により資料データ１０から抽出された各単語、各文および各画像をＩＭＥユーザ辞書ＤＢ５０に登録する。
【００２２】
（文書処理部１５０）
文書処理部１５０は、議事録を作成するための文書アプリケーションのユーザインタフェース画面をタッチパネル１１０に表示するとともに、議事録作成者が作成した議事録データ２０を記憶部１２０に保存する。
【００２３】
（ＩＭＥ処理部１６０）
ＩＭＥ処理部１６０（特許請求の範囲の「表示処理手段」に対応）は、未確定文字（または未確定文字列）に対応する変換候補をＩＭＥユーザ辞書ＤＢ５０およびＩＭＥシステム辞書ＤＢ６０から抽出する。そして、ＩＭＥ処理部１６０は、抽出した変換候補の一覧をタッチパネル１１０に表示する。
【００２４】
以上、本実施形態に係るタブレット端末１００の構成について説明した。
【００２５】
（ＩＭＥ辞書ＤＢについて）
ＩＭＥ辞書ＤＢについて図２を参照しながら簡単に触れておく。図２は、ＩＭＥユーザ辞書ＤＢ５０の概略的な構成を示す図である。
【００２６】
ＩＭＥ辞書ＤＢは、ＩＭＥユーザ辞書ＤＢ５０およびＩＭＥシステム辞書ＤＢ６０から構成されている。ＩＭＥシステム辞書ＤＢ６０は、予め文字変換後の語句が登録されている読み込み専用のＩＭＥシステム辞書（特許請求の範囲の「所定の文字変換辞書」に対応）のＤＢである。ＩＭＥユーザ辞書ＤＢ５０は、ユーザが文字変換後の語句を追加することが可能なＩＭＥユーザ辞書のＤＢである。
【００２７】
図２に示すようにＩＭＥユーザ辞書ＤＢ５０は、抽出単語辞書テーブル５１（特許請求の範囲の「第１の文字変換辞書」に対応）、抽出文辞書テーブル５２（特許請求の範囲の「第２の文字変換辞書」に対応）、および、抽出画像辞書テーブル５３（特許請求の範囲の「第３の文字変換辞書」に対応）を含んでいる。
【００２８】
抽出単語辞書テーブル５１は資料データ１０から抽出された各単語が登録される辞書テーブルであり、抽出文辞書テーブル５２は資料データ１０から抽出された各文が登録される辞書テーブルである。また、抽出画像辞書テーブル５３は資料データ１０から抽出された各画像が登録される辞書テーブルである。
【００２９】
なお、ＩＭＥシステム辞書は、デフォルトでＩＭＥ辞書の切り替え候補に含まれている。
【００３０】
（文字入力について）
タブレット端末１００は、ソフトウェアキーボードを用いた文字入力を受け付けるようになっている。
【００３１】
ソフトウェアキーボードは、ＩＭＥシステム辞書を用いて文字変換を行う通常変換モードと、ＩＭＥユーザ辞書を用いて文字変換を行う文書解析変換モードとの間で変換モードを切り替えることができるように構成されている。また、本実施形態では、ソフトウェアキーボードは、文書解析変換モード時に、抽出単語辞書テーブルを用いて入力文字を単語に変換するモードと、抽出文辞書テーブルを用いて入力文字を文に変換するモードと、抽出画像辞書テーブルを用いて入力文字を画像に変換するモードと、を切り替えることができるように構成されている。なお、本実施形態では、ＩＭＥ処理部１６０は、ＩＭＥユーザ辞書がＩＭＥ辞書の切り替え候補に含まれている場合、デフォルトで、文書解析変換モードを用いて変換候補を表示するようになっている。
【００３２】
（タブレット端末１００が資料データ内の単語等をＩＭＥユーザ辞書に登録する動作）
次に、タブレット端末１００が資料データ内の単語、文および画像をＩＭＥユーザ辞書に登録する動作について図３〜図７を参照しながら説明する。図３はこの動作を示すフローチャート図であり、図４は資料データが表す資料の内容を例示した図である。また、図５は、図４の資料データが表す資料における単語、文および画像の位置としてタブレット端末１００が取り扱う座標を示した図である。図６（ａ）、図６（ｂ）および図７は、図４の資料データ内の単語、文および画像をＩＭＥユーザ辞書に登録した後の抽出単語辞書テーブル５１、抽出文辞書テーブル５２、および、抽出画像辞書テーブル５３の内容を具体的に示した図である。
【００３３】
最初に、ユーザが、タッチパネル１１０に触れることで、単語、文および画像の抽出対象となる資料データを選択すると、図３に示すように、ドキュメント分析部１３０は、その資料データ内の各単語、各文、および、各画像を抽出する（Ｓ１）。
【００３４】
具  体的には、ドキュメント分析部１３０は、資料データからテキスト情報を抽出し、テキスト情報に対して構文解析を行うことで、各単語および各文を抽出する。また、ドキュメント分析部１３０は、資料データ内の画像情報に基づいて、資料データから各画像を抽出する。図５に示すように、ドキュメント分析部１３０は、例えば、図４の資料を表す資料データ１０から、「コンプライアンス」「コンパクト」「コンピュータ」などの各単語を抽出し、「このような観点から・・」「自動車メーカＡ社との・・・」などの各文を抽出し、「車」「コンピュータ」等を模した各画像を抽出する。
【００３５】
Ｓ１の後、ドキュメント分析部１３０は、Ｓ１で抽出した各単語について、単語の資料における位置を示す座標値を生成する。そして、データベース処理部１４０は、各単語について、単語とその単語の位置を示す座標値とを関連付けて抽出単語辞書テーブル５１に登録する（Ｓ２）。本実施形態では、タブレット端末１００は、資料における単語が占める矩形領域の左上端を示す座標値をその単語の資料における位置として取り扱う。文および画像についても同様である。
【００３６】
例えば、図５および図６（ａ）に示すように、データベース処理部１４０は、「コンプライアンス」という単語とその単語の位置を示す座標値（２１０、６５）とを関連付けて抽出単語辞書テーブル５１に登録する。なお、タブレット端末１００が単語の位置として取り扱う座標値はその単語が占める矩形領域の左上端でなくてもよい。例えば、単語が占める矩形領域の中央を示す座標値をその単語の資料における位置として取り扱ってもよい。文および画像についても同様である。
【００３７】
Ｓ２の後、ドキュメント分析部１３０は、Ｓ１で抽出した各文について、文の資料における位置を示す座標値（資料における文が占める矩形領域の左上端を示す座標値）を生成する。そして、データベース処理部１４０は、各文について、文とその文の位置を示す座標値とを関連付けて抽出文辞書テーブル５２に登録する（Ｓ３）。
【００３８】
例えば、図５および図６（ｂ）に示すように、データベース処理部１４０は、「自動車メーカＡ社との・・・」という文とその文の位置を示す座標値（７５、１９５）とを関連付けて抽出文辞書テーブル５２に登録する。
【００３９】
Ｓ３の後、ドキュメント分析部１３０は、Ｓ１で抽出した各画像について、文字入力時にその画像が変換候補として表示される文字（以降では、「対象文字」とも称する）を決定するとともに、その画像の資料における位置を示す座標値（資料における画像の左上端を示す座標値）とを特定する。そして、データベース処理部１４０は、各画像について、画像と、対象文字の一群と、その画像の位置を示す座標値とを関連付けて抽出画像辞書テーブル５３に登録する（Ｓ４）。ここで、ドキュメント分析部１３０は、対象文字を以下のようにして決定する。
【００４０】
すなわち、ドキュメント分析部１３０は、資料における画像の位置から所定の範囲内に位置する各単語を特定する。図４の例では、ドキュメント分析部１３０は、コンピュータを模した画像の位置から所定の範囲に位置する４つの単語（「販売」「予定」「の」「コンピュータ」）を特定する。なお、図５における破線で囲まれた２つの領域は、それぞれ、車を模した画像の位置からの所定の範囲、および、コンピュータを模した画像の位置からの前述の所定の範囲を示している。また、所定の範囲の形状は、矩形でなくともよく、例えば、円形、楕円形などであってもよい。
【００４１】
そして、ドキュメント分析部１３０は、特定した各単語について単語の先頭の読みを示す仮名を上述の対象文字として決定する。上述のケースでは、ドキュメント分析部１３０は、「は」「よ」「の」「こ」の４つの文字を対象文字として決定する。
【００４２】
なお、上述のケースでは、Ｓ４の処理の結果として、抽出画像辞書テーブル５３は、図７に示したような内容に更新される。
【００４３】
Ｓ４の処理が終わると、ＩＭＥ処理部１６０が、ＩＭＥ辞書の切り替え候補のひとつとして、ＩＭＥユーザ辞書を追加して（Ｓ５）、処理を終了する。
【００４４】
以上、会議の開始前に行われるべき、資料データ内の単語等をＩＭＥユーザ辞書に登録する動作の説明を行った。次に、会議中に議事録担当者がタブレット端末１００を用いて議事録を作成する際のタブレット端末１００の文字変換動作について説明する。
【００４５】
（タブレット端末１００の文字変換動作）
タブレット端末１００の文字変換動作について図６〜図９を参照しながら説明する。図８は文字変換動作を示すフローチャート図であり、図９は仮名文字を入力したときの文字変換候補の表示例を示した図である。具体的には、図９（ａ）、図９（ｂ）および図９（ｃ）は、それぞれ、資料から抽出された各単語、各文および各画像が文字変換候補として表示される例を示している。
【００４６】
ユーザが文書アプリケーションを用いて文字を入力すると、文書処理部１５０は入力文字を未確定文字としてタッチパネル部１１０に表示し、ＩＭＥ処理部１６０は、入力文字に対応する変換候補の各単語を抽出単語辞書テーブル５１から取得する（Ｓ１１）。例えば、「こ」という文字が入力された場合、ＩＭＥ処理部１６０は、図６（ａ）の抽出単語辞書テーブル５１から、先頭の読みが「こ」である単語（「このような」「コンプライアンス」等）を取得する。
【００４７】
Ｓ１１の後、ＩＭＥ処理部１６０は、入力文字に対応する変換候補の各文を抽出文辞書テーブル５２から取得し（Ｓ１２）、入力文字に対応する変換候補の各画像を抽出画像辞書テーブル５３から取得する（Ｓ１３）。例えば、入力文字が「こ」である場合、Ｓ１２にて、ＩＭＥ処理部１６０は、図６（ｂ）の抽出文辞書テーブル５２から、先頭の読みが「こ」である文（「このような観点から・・」等）を取得する。そして、Ｓ１３にて、ＩＭＥ処理部１６０は、図７の抽出画像辞書テーブル５３から、「こ」を含む対象文字群に関連付けて記録されている画像（例えば、車を模した画像）を取得する。
【００４８】
Ｓ１３の後、ＩＭＥ処理部１６０は、表示すべき変換候補が、ＩＭＥユーザ辞書ＤＢ中の単語、文および画像のいずれであるかを判定する（Ｓ１４）。すなわち、ＩＭＥ処理部１６０は、入力文字を単語に変換するモード、入力文字を文に変換するモード、および、入力文字を画像に変換するモードのうち、現在のモードがいずれのモードであるかを判定する。
【００４９】
Ｓ１４の後、ＩＭＥ処理部１６０は、表示すべき変換候補がＩＭＥユーザ辞書ＤＢ中の単語であると判定した場合には、Ｓ１１で取得した各単語を変換候補としてタッチパネル部１１０に表示する（Ｓ１５）。例えば、入力文字が「こ」である場合、ＩＭＥ処理部１６０は、図９（ａ）に示したような変換候補の各単語をタッチパネル部１１０に表示する。
【００５０】
一方、ＩＭＥ処理部１６０は、Ｓ１４において、表示すべき変換候補がＩＭＥユーザ辞書ＤＢ中の文であると判定した場合には、Ｓ１２で取得した各文を変換候補としてタッチパネル部１１０に表示する（Ｓ１６）。例えば、入力文字が「こ」である場合、ＩＭＥ処理部１６０は、図９（ｂ）に示したような変換候補の各文をタッチパネル部１１０に表示する。
【００５１】
あるいは、ＩＭＥ処理部１６０は、Ｓ１４において、表示すべき変換候補がＩＭＥユーザ辞書ＤＢ中の画像であると判定した場合には、Ｓ１３で取得した各画像を変換候補として表示する（Ｓ１７）。例えば、入力文字が「こ」である場合、ＩＭＥ処理部１６０は、図９（ｃ）に示したような変換候補の各画像をタッチパネル部１１０に表示する。
【００５２】
Ｓ１８において、ＩＭＥ処理部１６０は、変換が確定したか否か（すなわち、タッチパネル部１１０が表示中のいずれかの変換候補の選択を受け付けたか否か）を判定する（Ｓ１８）。変換が確定したとＩＭＥ処理部１６０が判定した場合（Ｓ１８においてＹＥＳ）、文書処理部１５０は、表示中の未確定文字を、選択された変換候補の単語、文または画像に置き換えて文字変換動作を終了する。
【００５３】
一方、変換が確定していないとＩＭＥ処理部１６０が判定した場合（Ｓ１８においてＮＯ）、ＩＭＥ処理部１６０は、変換モードが通常変換モードに切り替わったか否かを判定する（Ｓ１９）。
【００５４】
ＩＭＥ処理部１６０は、変換モードが通常変換モードに切り替わっていないと判定した場合には、Ｓ１４の処理に戻る。一方、ＩＭＥ処理部１６０は、変換モードが通常変換モードに切り替わったと判定した場合には、Ｓ２０の処理に進む。
【００５５】
Ｓ２０において、ＩＭＥ処理部１６０は、入力文字に対応する各変換候補をＩＭＥシステム辞書ＤＢ５０から取得し、Ｓ２１において、各変換候補をタッチパネル部１１０に表示する。
【００５６】
Ｓ２２において、ＩＭＥ処理部１６０は、変換が確定したか否かを判定する。変換が確定したとＩＭＥ処理部１６０が判定した場合（Ｓ２２においてＹＥＳ）、文書処理部１５０は、表示中の未確定文字を、選択された変換候補に更新して文字変換動作を終了する。
【００５７】
一方、変換が確定していないとＩＭＥ処理部１６０が判定した場合（Ｓ２２においてＮＯ）、ＩＭＥ処理部１６０は、変換モードが文書解析変換モードに切り替わったか否かを判定する（Ｓ２３）。
【００５８】
ＩＭＥ処理部１６０は、変換モードが文書解析変換モードに切り替わっていないと判定した場合には、Ｓ２２の処理に戻る。一方、ＩＭＥ処理部１６０は、変換モードが文書解析変換モードに切り替わったと判定した場合には、Ｓ１４の処理に戻る。
【００５９】
以上、文字変換動作について説明したが、議事録作成者は、文書アプリケーション上で前述のＩＭＥシステム辞書およびＩＭＥユーザ辞書を用いて議事録の文章を入力することで、議事録データ２０を記憶部１２０内に作成することができる。
【００６０】
なお、上記のタブレット端末１００の文字変換動作は一例に過ぎない。例えば、タブレット端末１００は、Ｓ１１〜Ｓ１３の処理をＳ１４の後に実行してもよい。すなわち、タブレット端末１００は、Ｓ１１の処理、Ｓ１２の処理、Ｓ１３の処理を、それぞれ、Ｓ１４とＳ１５との間、Ｓ１４とＳ１６との間、および、Ｓ１４とＳ１７との間に実行してもよい。
【００６１】
（タブレット端末の変形例）
本発明の一実施形態に係るタブレット端末はタブレット端末１００に限定されない。すなわち、タブレット端末は、図１０のブロック図で示されるようなタブレット端末１００’として実施することもできる。
【００６２】
図１０に示すように、タブレット端末１００’は、タブレット端末１００と同様にタッチパネル部１１０、記憶部１２０、データベース処理部１４０、文書処理部１５０およびＩＭＥ処理部１６０を備えているが、撮像部１１５を備え、ドキュメント分析部１３０の代わりにドキュメント分析部１３０’を備えている点でタブレット端末１００と異なっている。
【００６３】
撮像部１１５は、被写体の撮像画像データを生成するデジタルカメラである。
【００６４】
ドキュメント分析部１３０’は、撮像画像データが文書（会議資料等）を被写体とした画像データ（資料画像データ１０’）である場合に、ＯＣＲ技術を用いて資料画像内のテキストを抽出し、さらに、資料画像内のテキストが抽出された領域以外の領域から、画像（資料中の写真、図面等の画像）を切り出す。
【００６５】
なお、タブレット端末１００’が資料データ内の単語等をＩＭＥユーザ辞書に登録する動作は、Ｓ１の処理のために用いる具体的技術手段が異なる（例えば、ＯＣＲ技術を用いる）点を除き、タブレット端末１００と同様である。そのため、資料データ内の単語等をＩＭＥユーザ辞書に登録する動作の説明は省略する。
【００６６】
また、タブレット端末１００’の文字変換動作は、タブレット端末１００の文字変換動作と全く同じであるため、文字変換動作についても説明を省略する。
【００６７】
（タブレット端末１００、１００’の利点）
以上のように、本発明の一実施形態に係るタブレット端末１００（１００’）は、ＩＭＥユーザ辞書ＤＢ５０が格納されている記憶部１２０と、会議用の資料データ１０の解析により資料データ１０から単語および文を抽出するドキュメント分析部１３０と、ドキュメント分析部１３０（１３０’）が抽出した単語および文をＩＭＥユーザ辞書ＤＢ５０に登録するデータベース処理部１４０と、ＩＭＥユーザ辞書ＤＢ５０に登録された単語および文を変換候補としてタッチパネル部１１０に表示するＩＭＥ処理部１６０と、を備えている。
【００６８】
タブレット端末１００、１００’は、上記の構成に依って、会議前に予め配布された資料データ１０中の単語および文を文字変換辞書に登録し、文字変換辞書を用いた単語および文の入力を受け付けることができる。
【００６９】
したがって、タブレット端末１００、１００’は、議事録作成者に資料中の文を効率良く引用して議事録に残させることができる。これにより、タブレット端末１００、１００’は、予め配布された資料を参照しながら行う会議の議事録を従来よりも効率良く作成させることができるという効果を奏する。
【００７０】
（付記事項１）
上述の実施形態では、ＩＭＥユーザ辞書ＤＢとして、抽出単語辞書テーブル５１、抽出文辞書テーブル５２、抽出画像辞書テーブル５３の３つのテーブルからなるＩＭＥユーザ辞書ＤＢ５０を採用したが、ＩＭＥユーザ辞書ＤＢは、これに限定されない。
【００７１】
すなわち、ＩＭＥユーザ辞書ＤＢを１つのテーブルで構成し、データベース処理部１４０は、資料データ１０から抽出された各単語、各文および各画像を上記１つのテーブル内に登録してもよい。
【００７２】
そして、ＩＭＥ処理部１６０は、現在の変換モードが文書解析変換モードである場合、ＩＭＥユーザ辞書ＤＢから取得した、入力文字に対応する単語の変換候補群、文の変換候補群、および、画像の変換候補群を混在させて表示してもよい。
【００７３】
また、本発明の一実施形態に係るタブレット端末は、文書解析変換モードと通常変換モードとの間で変換モードを切り替える構成に限定されない。すなわち、ＩＭＥ処理部１６０は、常に、ＩＭＥユーザ辞書ＤＢとＩＭＥシステム辞書ＤＢとの双方から、入力文字に対応する変換候補群を取得し、ＩＭＥユーザ辞書ＤＢから取得した変換候補群とＩＭＥシステム辞書ＤＢから取得した変換候補群とを混在させて表示してもよい。
【００７４】
特に、ＩＭＥユーザ辞書ＤＢから取得した変換候補群が、ＩＭＥシステム辞書ＤＢから取得した変換候補群よりも上位の変換候補となるように、ＩＭＥユーザ辞書ＤＢから取得した変換候補群を優先的に表示することが望ましい。使用頻度が高いと考えられる、会議で使用する資料データ中の単語、文および画像が変換候補の上位に表示されることで、議事録作成者は、よりスムーズに議事録を作成できるからである。
【００７５】
（付記事項２）
ＩＭＥ処理部１６０は、入力文字に対応する単語だけでなく、資料においてその単語の前および後に位置する２つの単語（またはそのうちのいずれか一方の単語）を変換候補とて表示してもよい。なお、ＩＭＥ処理部１６０は、例えば、抽出単語辞書テーブル５１に登録されている各座標値に基づいて、各単語について単語の前および後に位置する単語を特定することができる。
【００７６】
（付記事項３）
タブレット端末１００は、ユーザがタッチパネル部１１０を通じて所定の操作を行ったとき（ユーザから所定の指示を受け付けたとき）に、ＩＭＥユーザ辞書ＤＢをリセットする（各辞書テーブルの情報を消去する）ように構成されていてもよい。また、タブレット端末１００は、ＩＭＥユーザ辞書ＤＢのリセットと同時に、ＩＭＥ辞書の切り替え候補からＩＭＥユーザ辞書を除外するように構成されていてもよい。
【００７７】
これにより、議事録作成者は、会議の終了後に上記所定の操作を行うことで、タブレット端末１００にＩＭＥユーザ辞書ＤＢをリセットさせることができる。したがって、議事録作成者が会議の終了の度に上記所定の操作を行いさえすれば、タブレット端末１００は、文書解析変換の変換候補として、過去の会議で用いられた配布資料中の文、画像等の不適切な変換候補を表示することなく、適切な変換候補のみを表示することができる。
【００７８】
（付記事項４）
データベース処理部１４０は、ドキュメント分析部１３０が資料データから抽出した各画像を所定のサイズにリサイズした上で抽出画像辞書テーブル５３に登録してもよい。例えば、抽出した各画像をサムネイル化し、各サムネイル画像を抽出画像辞書テーブル５３に登録してもよい。
【００７９】
（付記事項５）
ＩＭＥ処理部１６０は、所定の未確定文字または所定の未確定文字列が入力された場合に、抽出画像辞書テーブル５３に登録されている全画像を変換候補として表示してもよい。例えば、未確定文字列として「がぞう」という文字列が入力された場合に、抽出画像辞書テーブル５３に登録されている全画像を変換候補として表示してもよい。
【００８０】
（付記事項６）
本発明はタブレット端末に限定されない。例えば、本発明は、スマートフォン、パーソナルコンピュータ等の形態で実施することができる。また、本発明に係る文書作成装置は、表示部としてタッチパネル部を備えていなくともよく、表示部自体を備えていなくともよい。例えば、外部ディスプレイに変換候補の一覧を表示するデスクトップＰＣの形態でも本発明を実施できる。
【００８１】
（付記事項７）
上記実施形態では、会議資料の資料データ１０がPDF形式のデータであるものとしたが、資料データ１０は、WORD形式、HTML形式、TXT形式、TEX形式、PS形式などの他の形式のデータであってもよい。
【００８２】
（付記事項８）
ドキュメント分析部１３０は、資料データ１０中から画像に対応付けられているキャプション（「図１」や「図２」等の図面番号を含むキャプション）を抽出してもよい。キャプションを抽出した場合には、データベース処理部１４０は、ＩＭＥユーザ辞書ＤＢ５０への登録処理を以下のように行ってもよい。
【００８３】
すなわち、データベース処理部１４０は、キャプションを構成する各単語について、単語の先頭の読み仮名とキャプションに対応付けられている画像と画像の座標値とを関連付けて抽出画像辞書テーブル５３に登録してもよい。
【００８４】
図１１を参照して具体例を説明する。図１１は、タブレット端末１００が資料画像データ１０を開いたときに表示する資料画像を示した図である。ドキュメント分析部１３０が図１１の資料データ１０から「図１：商品Ａ（コンピュータ）」というキャプションを抽出する例を挙げる。この例では、データベース処理部１４０は、キャプションを構成する単語「コンピュータ」の先頭の読みである「こ」と、コンピュータを模した画像と、画像の座標値とを関連付けて抽出画像辞書テーブル５３に登録することになる。
【００８５】
また、データベース処理部１４０は、キャプションを構成する各単語について、単語の先頭の読み仮名とキャプションとキャプションの位置を示す座標値とを関連付けて抽出文辞書テーブル５２に登録してもよい。ドキュメント分析部１３０が、図１１の資料データ１０から「図１：商品Ａ（コンピュータ）」というキャプションを抽出する例を挙げる。この例では、データベース処理部１４０は、読み「こ」と、キャプション「図１：商品Ａ（コンピュータ）」と、キャプションの位置を示す座標値と、を関連付けて抽出文辞書テーブル５２に登録することになる。
【００８６】
なお、この場合であっても、データベース処理部１４０は、実施形態で説明したように、画像の近傍にある単語の先頭の読みと、その画像と、を関連付けて抽出画像辞書テーブル５３に登録してもよい。図１１の例においては、データベース処理部１４０は、ソファーを模した画像の近傍にある「高確率」という単語の読み「こ」と、ソファーを模した画像と、を関連付けて抽出画像辞書テーブル５３に登録してもよい。同様に、データベース処理部１４０は、車を模した画像の近傍にある「コンプライアンス」という単語の読み「こ」と、車を模した画像と、を関連付けて抽出画像辞書テーブル５３に登録してもよい。
【００８７】
なお、データベース処理部１４０は、単語の先頭の読みだけでなく、単語の先頭２文字の読み、単語の先頭３文字の読み・・単語の先頭ｎ文字の読みの各々について、読みと、画像と、画像の座標値と、を関連付けてＩＭＥユーザ辞書ＤＢ５０に登録してもよい。キャプションおよび文についても同様である。
【００８８】
図１１の例においては、データベース処理部１４０は、単語「高確率」の先頭２文字の読み「こう」と、ソファーを模した画像と、座標値と、を関連づけて抽出画像辞書テーブル５３に登録し、読み「こう」と、文「高確率で・・・。」と、座標値と、を関連づけて抽出文辞書テーブル５２に登録してもよい。同様に、データベース処理部１４０は、単語「コンピュータ」の先頭２文字の読み「こん」と、コンピュータを模した画像と、座標値と、を関連づけて抽出画像辞書テーブル５３に登録し、読み「こん」と、キャプション「図１：商品Ａ（コンピュータ）」と、座標値とを関連づけて抽出文辞書テーブル５２に登録してもよい。
【００８９】
〔まとめ〕
本発明の一態様に係る文書作成装置は、文字変換辞書が格納されている記憶部と、資料を表すデータの解析により該データから単語および文を抽出する抽出手段と、上記抽出手段が抽出した上記単語および文を上記文字変換辞書に登録する登録手段と、上記文字変換辞書に登録された上記単語および文を変換候補として表示部に表示する表示処理手段と、を備えていることを特徴としている。
【００９０】
上記の構成によれば、本発明の一態様に係る文書作成装置は、会議で配布される資料中の単語および文を文字変換辞書に登録し、文字変換辞書を用いた単語および文の入力を受け付けることができる。
【００９１】
したがって、本発明の一態様に係る文書作成装置は、議事録作成者に資料中の文を効率良く引用して議事録に残させることができる。これにより、本発明の一態様に係る文書作成装置は、予め配布された資料を参照しながら行う会議の議事録を従来よりも効率良く作成させることができるという効果を奏する。
【００９２】
また、本発明の一態様に係る変換候補表示方法は、文字変換辞書が格納されている記憶部を備えた文書作成装置の変換候補表示方法において、資料を表すデータの解析により該データから単語および文を抽出する抽出工程と、上記抽出工程にて抽出した上記単語および文を上記文字変換辞書に登録する登録工程と、上記文字変換辞書に登録された上記単語および文を変換候補として表示部に表示する表示処理工程と、を含んでいることを特徴としている。
【００９３】
上記の構成によれば、本発明の一態様に係る変換候補表示方法は、本発明の一態様に係る文書作成装置と同様の作用効果を奏する。
【００９４】
ところで、議事録作成者は、議事録をより判りやすいものとするために、配布資料中の図または写真を議事録に盛り込みたいと考える可能性がある。そのような議事録作成者にとって、従来のコンピュータでは、配布資料中の図または写真を議事録に効率良く盛り込むことは容易ではなかった。このような問題に鑑みて、本発明に係る文書作成装置は、以下のように構成されていることが望ましい。
【００９５】
すなわち、本発明の一態様に係る文書作成装置では、上記抽出手段が、上記資料を表すデータを解析することにより該データから画像を抽出可能に構成されており、上記登録手段が、上記抽出手段が抽出した画像を上記文字変換辞書に登録するように構成されており、上記表示処理手段が、上記文字変換辞書に登録された上記画像を変換候補として上記表示部に表示する、ことが望ましい。
【００９６】
上記の構成によれば、本発明の一態様に係る文書作成装置は、資料を表すデータから抽出した図や写真などの画像を変換候補として表示する。したがって、本発明に係る文書作成装置は、配布資料中の図または写真を議事録に効率良く盛り込むことができるというさらなる効果を奏する。
【００９７】
なお、本発明の一態様に係る文書作成装置では、上記記憶部に、上記単語を登録するための第１の文字変換辞書と、上記文を登録するための第２の文字変換辞書と、上記画像を登録するための第３の文字変換辞書と、が格納されており、上記登録手段が、上記抽出手段が抽出した単語を第１の文字変換辞書に登録し、上記抽出手段が抽出した文を第２の文字変換辞書に登録し、上記抽出手段が抽出した画像を第３の文字変換辞書に登録する、ことが望ましい。
【００９８】
本発明の一態様に係る文書作成装置では、上記記憶部には、上記登録手段による登録先となっている文字変換辞書以外に、所定の文字変換辞書が格納されており、上記表示処理手段は、上記所定の文字変換辞書内の変換候補よりも、上記登録手段による登録先となっている文字変換辞書内の変換候補が優先的に表示されるように、変換候補の一覧を表示する、ことが望ましい。
【００９９】
上記の構成によれば、本発明に係る文書作成装置は、会議で配布される資料中に使用されていない単語よりも会議で配布される資料中の単語および文が上位の変換候補となるように変換候補の一覧を表示する。したがって、本発明に係る文書作成装置は、議事録作成者に、よりスムーズに議事録を作成させることができるというさらなる効果を奏する。
【０１００】
本発明の一態様に係る文書作成装置では、上記抽出手段により抽出される各単語、各文および各画像について、上記資料における位置を示す位置情報を生成する位置情報生成手段を更に備え、上記登録手段は、上記抽出手段により抽出される上記各単語、各文および各画像を、それぞれ、対応する位置情報と関連付けて上記文字変換辞書に登録するように構成されている、ことが望ましい。
【０１０１】
また、本発明の一態様に係る文書作成装置では、上記登録手段は、上記抽出手段により抽出される各画像について、該画像の位置を示す位置情報と各単語の位置を示す位置情報とに基づいて上記資料において該画像の位置から所定の範囲内に位置する単語を特定し、該画像と、特定した単語の先頭の読みを表す仮名と、を関連付けて上記文字変換辞書に登録するように構成されており、上記表示処理手段は、入力された仮名と関連付けて上記文字変換辞書に登録されている各画像を変換候補として表示する、ことが望ましい。
【０１０２】
上記の構成によれば、本発明の一態様に係る文書作成装置は、通常、議事録作成者が議事録に盛り込むことを所望する画像が含まれ、且つ、文字変換辞書に登録されている一部の画像が含まれないような態様で、変換候補の一覧を表示する。
【０１０３】
したがって、本発明の一態様に係る文書作成装置は、議事録作成者が議事録に盛り込むことを所望する画像を議事録作成者により容易に入力させることができるというさらなる効果を奏する。
【０１０４】
本発明の一態様に係る文書作成装置では、上記表示処理手段は、変換候補として、入力された文字に対応する上記文字変換辞書に登録されている単語を表示するとともに、上記資料において該単語の隣に位置する単語を、上記文字変換辞書に登録されている各単語の位置を示す位置情報に基づいて特定して表示する、ことが望ましい。また、本発明に係る文書作成装置では、上記登録手段は、上記抽出手段が抽出した画像を所定のサイズにリサイズして上記文字変換辞書に登録する、ことが望ましい。
【０１０５】
本発明の一態様に係る文書作成装置は、上記文字変換辞書に登録された情報を上記文字変換辞書から消去する旨の指示をユーザから受け付ける指示受付手段をさらに備えている、ことが望ましい。
【０１０６】
上記の構成によれば、本発明の一態様に係る文書作成装置には、議事録作成者が上記文書作成装置を用いて２つの会議で議事録を作成する場合であって１つ目の会議の終了直後に議事録作成者が上記指示を出す場合に、以下の利点がある。
【０１０７】
すなわち、議事録作成者が２つ目の会議の開始直前に２つ目の会議で使用される資料を表すデータを本発明に係る文書作成装置に解析させれば、本発明に係る文書作成装置は、２つ目の会議で使用される資料中の単語および文を変換候補として含み、１つ目の会議で使用された資料中の文を変換候補として含まないような変換候補の一覧を表示することになる。
【０１０８】
したがって、本発明の一態様に係る文書作成装置は、議事録作成者による議事録の作成をよりスムーズにすることができるというさらなる効果を奏する。
【０１０９】
なお、上記文書作成装置が備えている各手段としてコンピュータを動作させるためのプログラム、および、そのようなプログラムを記録しているコンピュータ読み取り可能な記録媒体も本発明の範疇に含まれる。
【０１１０】
（プログラム、記憶媒体）
タブレット端末（１００、１００’）の各ブロックは、集積回路（ＩＣチップ）上に形成された論理回路によってハードウェア的に実現してもよいし、ＣＰＵ（Central Processing Unit）を用いてソフトウェア的に実現してもよい。
【０１１１】
後者の場合、タブレット端末（１００、１００’）は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるタブレット端末（１００、１００’）の制御プログラムのプログラムコード（実行形式プログラム、中間コードプログラム、ソースプログラム）をコンピュータで読み取り可能に記録した記録媒体を、各装置に供給し、そのコンピュータ（またはＣＰＵやＭＰＵ）が記録媒体に記録されているプログラムコードを読み出し実行することによっても、達成可能である。
【０１１２】
上記記録媒体としては、非一時的な記録媒体を用いることができる。例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１１３】
また、上記プログラムコードは、通信ネットワークを介して対象装置に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０１１４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１１５】
本発明は、電子文書を作成可能なパーソナルコンピュータ、タブレット端末、携帯電話等に好適に適用することができる。
【符号の説明】
【０１１６】
１００、１００’            タブレット端末（文書作成装置）
１１０                        タッチパネル部（表示部、指示受付手段）
１１５                        撮像部
１２０                        記憶部
１０                            資料データ
２０                            議事録データ
５０                            ＩＭＥユーザ辞書ＤＢ
５１                              抽出単語辞書テーブル（第１の文字変換辞書）
５２                              抽出文辞書テーブル（第２の文字変換辞書）
５３                              抽出画像辞書テーブル（第３の文字変換辞書）
６０                            ＩＭＥシステム辞書ＤＢ（所定の文字変換辞書）
１３０、１３０’                ドキュメント分析部（抽出手段、位置情報生成手段）
１４０                        データベース処理部（登録手段）
１５０                        文書処理部
１６０                        ＩＭＥ処理部（表示処理手段）
【図１】
2014056401.tif 000003
【図２】
2014056401.tif 000004
【図３】
2014056401.tif 000005
【図４】
2014056401.tif 000006
【図５】
2014056401.tif 000007
【図６】
2014056401.tif 000008
【図７】
2014056401.tif 000009
【図８】
2014056401.tif 000010
【図９】
2014056401.tif 000011
【図１０】
2014056401.tif 000012
【図１１】
2014056401.tif 000013